(57)【要約】【課題】ユーザのニーズに合わせて交換コストを安価にすることの可能なかみそり器ならびにかみそり器のヘッドハウジングを得る。【解決手段】電気かみそり（かみそり器）１は、かみそり器本体５と、そのかみそり器本体５に着脱自在に装着されるヘッドハウジング３２と、を備えており、ヘッドハウジング３２に回転体ユニット１４を設ける。【選択図】図４
2014030476.tif 000002
【特許請求の範囲】
【請求項１】
回転体ユニットを備えたかみそり器であって、
前記かみそり器は、かみそり器本体と、前記かみそり器本体に着脱自在に装着されるヘッドハウジングと、を備えており、
前記回転体ユニットを、前記ヘッドハウジングに設けたことを特徴とするかみそり器。
【請求項２】
前記回転体ユニットを、前記ヘッドハウジングに対して着脱自在としたことを特徴とする請求項１に記載のかみそり器。
【請求項３】
前記回転体ユニットは、回転体と、前記回転体の孔部に挿通される軸部と、を備えており、
前記回転体は、前記軸部に対して着脱自在であることを特徴とする請求項１または請求項２に記載のかみそり器。
【請求項４】
前記ヘッドハウジングに、前記回転体ユニットの取り付け高さを可変とする高さ調節機構を設けたことを特徴とする請求項１〜３のうち何れか１項に記載のかみそり器。
【請求項５】
かみそり器本体に着脱自在に装着されるかみそり器のヘッドハウジングであって、回転体ユニットを備えることを特徴とするかみそり器のヘッドハウジング。
【発明の詳細な説明】
【技術分野】
【０００１】
本発明は、かみそり器ならびにかみそり器のヘッドハウジングに関する。
【背景技術】
【０００２】
従来より、刃部で体毛を剃る際に肌表面に接触する回転体ユニットを設けることで、刃部が肌面上に沿って移動する際の摩擦力を低減し、肌へのダメージを抑制できるようにしたかみそり器が提案されている（例えば、特許文献１参照）。
【先行技術文献】
【特許文献】
【０００３】
【特許文献１】特開２００９−２３２８９４号公報
【発明の概要】
【発明が解決しようとする課題】
【０００４】
ところで、体毛処理時における肌への優しさと剃り易さとはトレードオフの関係にあり、回転体ユニットの取り付け高さがその性能を支配することとなる。すなわち、刃部（頂部）の高さと回転体ユニットにおける回転体（頂部）の高さの相対的な位置関係によって肌への優しさと剃り易さとが決定される。
【０００５】
ここで、上記従来のかみそり器にあっては、回転体ユニットがかみそり器の中心ボス部（かみそり器本体）に設けられていた。そのため、例えば肌保護重視タイプのものを購入したユーザが深剃り重視タイプのものに変更したい場合などに、ユーザはかみそり器本体そのものを買い換えなければならず、交換コストが高くなってしまうという問題があった。
【０００６】
そこで、本発明は、ユーザのニーズに合わせて交換コストを安価にすることの可能なかみそり器ならびにかみそり器のヘッドハウジングを得ることを目的とする。
【課題を解決するための手段】
【０００７】
上記目的を達成するために、本発明の第１の特徴は、回転体ユニットを備えたかみそり器であって、前記かみそり器は、かみそり器本体と、前記かみそり器本体に着脱自在に装着されるヘッドハウジングと、を備えており、前記回転体ユニットを、前記ヘッドハウジングに設けたことを要旨とする。
【０００８】
本発明の第２の特徴は、前記回転体ユニットを、前記ヘッドハウジングに対して着脱自在としたことを要旨とする。
【０００９】
本発明の第３の特徴は、前記回転体ユニットは、回転体と、前記回転体の孔部に挿通される軸部と、を備えており、前記回転体は、前記軸部に対して着脱自在であることを要旨とする。
【００１０】
本発明の第４の特徴は、前記ヘッドハウジングに、前記回転体ユニットの取り付け高さを可変とする高さ調節機構を設けたことを要旨とする。
【００１１】
本発明の第５の特徴は、かみそり器本体に着脱自在に装着されるかみそり器のヘッドハウジングであって、回転体ユニットを備えることを要旨とする。
【発明の効果】
【００１２】
本発明によれば、回転体ユニットをかみそり器のヘッドハウジングに設けるようにしている。そのため、例えば肌保護重視タイプのものを購入したユーザが深剃り重視タイプのものに変更したい場合などに、ユーザはかみそり器のヘッドハウジングのみを買い換えればよく、交換コストを安価にすることができる。
【図面の簡単な説明】
【００１３】
【図１】本発明の第１実施形態にかかるかみそり器の全体斜視図である。
【図２】図１に示すかみそり器のヘッド部の斜視図である。
【図３】図２に示すヘッド部の正面図である。
【図４】図２に示すヘッド部におけるヘッドハウジングの概略斜視図である。
【図５】本発明の第１実施形態にかかるかみそり器の回転体ユニットの着脱構造を示した図であって、（ａ）は回転体ユニットの保持時を示した図、（ｂ）は回転体ユニットの着脱時を示した図である。
【図６】図４に示す一方側の回転体ユニットをヘッドハウジングから取り外して他の回転体ユニットを取り付けた状態を示した概略斜視図である。
【図７】本発明の第２実施形態にかかるかみそり器の回転体ユニットを示した図であって、（ａ）はヘッドハウジングの他方側の回転体ユニットの断面図、（ｂ）はヘッドハウジングの一方側の回転体ユニットの断面図である。
【図８】本発明の第２実施形態にかかるかみそり器のヘッドハウジングの概略斜視図である。
【図９】本発明の第３実施形態にかかるかみそり器の高さ調節機構を示した図であって、（ａ）は回転体ユニットの軸部を低位置で保持した状況を示した図、（ｂ）は回転体ユニットの軸部を高位置で保持した状況を示した図である。
【図１０】本発明の第３実施形態にかかるかみそり器のヘッドハウジングの概略斜視図であって、（ａ）は一方側の回転体ユニットを低位置で保持した状況を示した図、（ｂ）は一方側の回転体ユニットを高位置で保持した状況を示した図である。
【発明を実施するための形態】
【００１４】
以下、本発明の実施形態について図面を参照しつつ詳細に説明する。なお、以下では、本発明を電気かみそりに適用した場合を例示するが、本発明のかみそり器はこれに限定されず、例えば電動式ではないかみそり器やその他の除毛器を含むものとする。
【００１５】
［第１実施形態］
図１〜図６に示すように、本実施形態の電気かみそり１は、使用者が把持するグリップ部２と、そのグリップ部２の先端部に連結されるヘッド部３とによって大略構成されている。
【００１６】
グリップ部２には、電気かみそり１を動作させる（電源をオン・オフさせる）押圧式のスイッチ２１が設けられている。このスイッチ２１は、本実施形態では押圧式を例示したが、スライド式やその他のオン・オフできるスイッチであればよい。
【００１７】
ヘッド部３は、グリップ部２に取付固定されるヘッド部本体３１と、そのヘッド部本体３１に着脱自在に装着されるヘッドハウジング３２とを備えている。すなわち、本実施形態では、グリップ部２とヘッド部本体３１とによってかみそり器本体５が構成されており、そのかみそり器本体５に対してヘッドハウジング３２が着脱自在となっている。
【００１８】
ヘッドハウジング３２は、平面視で略矩形枠状に形成されている。ヘッドハウジング３２の内側には、使用者の肌表面から延びる体毛を処理する刃部４が設けられているとともに、刃部４を動作させる駆動部（図示せぬ）が内蔵されている。
【００１９】
刃部４は、図２に示すように、ヘッド部３の上方に露出して使用者の肌表面に接触する複数の外刃４１と、それぞれの外刃４１の内方（外刃４１の下側）に配置される図示省略した内刃とによって構成されている。
【００２０】
外刃４１は、ヘッドハウジング３２に固定されており、外刃４１の延在方向Ｙ（本実施形態では左右方向）と直交する直交方向（本実施形態では前後方向）に複数（５枚）並設されている。具体的には、外刃４１としてＸ方向手前側から奥側に向かって、第１のネット刃４１Ａ、第２のネット刃４１Ｂ、スリット刃４２、第３のネット刃４１Ｃおよび第４のネット刃４１Ｄが順に並設されている。
【００２１】
これらの第１〜第４のネット刃４１Ａ〜４１Ｄは、電気かみそり１をＹ方向（側面方向）から見た時に、上方が凸となるように直交方向Ｘに沿って逆Ｕ字状に湾曲形成されている。また、これら第１〜第４のネット刃４１Ａ〜４１Ｄは、電気かみそり１のＸ方向（正面方向）から見た時にも、中央部が若干上方に凸となるようにＹ方向に沿って湾曲形成されている（図３参照）。また、これら第１〜第４のネット刃４１Ａ〜４１Ｄには、体毛を取り込むための多数の刃穴（図示省略）が形成されている。
【００２２】
スリット刃４２は、先端が略平坦面となるように略逆Ｕ字状に折曲形成されており、このスリット刃４２にあっても平坦な上壁から側壁に亘って体毛を取り込むための多数のスリット（図示省略）が形成されている。
【００２３】
このような電気かみそり１にあっては、外刃４１の刃穴やスリットに入り込ませた体毛を、図示省略した駆動部によって内刃を外刃４１に対してＹ方向に往復動させることにより、外刃４１と内刃との共働で切断するようになっている。つまり、この切断によって体毛が剃られることになる。
【００２４】
なお、本実施形態では、刃部４の外刃４１が第１〜第４のネット刃４１Ａ〜４１Ｄおよびスリット刃４２の５枚刃で構成された場合を例示したが、外刃４１の枚数は５枚に限ることなく、少なくとも１枚以上の外刃４１を備えていればよい。
【００２５】
また、本実施形態の電気かみそり１は、刃部４で体毛を剃る際に肌表面に接触して肌へのダメージを抑制する回転体ユニット１４を備えている。
【００２６】
ここで、本実施形態では、その回転体ユニット１４を電気かみそり（かみそり器）１のヘッドハウジング３２に設けている。
【００２７】
具体的には、図２および図４に示すように、本実施形態では、刃部４のＸ方向（前後方向）両外方近傍のヘッドハウジング３２にそれぞれ回転体ユニット１４を配設している。すなわち、本実施形態では、第４のネット刃４１ＤのＸ方向外側に設けられた一方側の回転体ユニット１４と、第１のネット刃４１ＡのＸ方向外側に設けられた他方側の回転体ユニット１４とを備えている。
【００２８】
回転体ユニット１４は、回転体としてのローラ１０と、その回転体としてのローラ１０の中心孔（孔部）１０ｈに挿通される軸部１１と、を備えている。
【００２９】
ローラ１０は、刃部４で体毛を剃る際に肌表面に接触しつつ回転して、肌表面との摩擦を低減するものである。ローラ１０は、容易に変形しない材料、例えば、硬質プラスチックやセラミックス等で形成されることが好ましい。
【００３０】
本実施形態では、刃部４のＸ方向外側にそれぞれ設けられた回転体ユニット１４のローラ１０は、刃部４を挟んで略対称に配置されている。そして、刃部４を挟んで対となったローラ１０は、図２および図３に示すように、それぞれＹ方向に直列して複数設けられている。
【００３１】
複数個のローラ１０は、図４に示すように、各ローラ１０の中心孔（孔部）１０ｈに挿通された軸部１１によって軸支持されている。中心孔１０ｈは、軸部１１の外径よりも僅かに大径に形成されており、これにより、各ローラ１０が軸部１１に対して回転自在となっている。
【００３２】
また、ヘッドハウジング３２のＸ方向両側で対向する両辺３２ａ、３２ｂには、回転体ユニット１４を配置するのに十分な深さをもって凹設部３２ｃが設けられている。そして、この凹設部３２ｃに回転体ユニット１４のローラ１０が中空状態で取付固定されている。
【００３３】
なお、図４は、本発明の要部である回転体ユニット１４（ローラ１０および軸部１１）を便宜上誇張して示したものであり、そのためローラ１０や後述する支持部２０の数を図３よりも少なく図示してあるが、実際は図３と同様であるものとする。
【００３４】
ところで、電気かみそり１で体毛を剃る際には、まず、ヘッド部３の刃部４を肌表面にあてがった後、深剃りするために刃部４を肌表面に押し付けることになる。すると、回転体ユニット１４のローラ１０が肌表面に接触し、この状態で電気かみそり１を移動させるとローラ１０は肌表面に沿って回転しつつ刃部４によって体毛が切断される。このときのローラ１０の回転により、刃部４（図１参照）を移動させる際の摩擦力が低減されて移動抵抗を小さくできることになる。
【００３５】
このとき、ローラ１０を回転させるにあたって、軸部１１が細ければ細い程、回転方向と逆向きに作用する転がり抵抗を小さくすることができ、ローラ１０をより円滑に回転させることができる。しかしながら、軸部１１を単に細くした場合には、刃部４の押し付け（押付力）に対する反力が部分的に作用して軸部１１が撓んでしまう。
【００３６】
そこで、本実施形態では、図３および図４に示すように、ローラ１０を支持する軸部１１とヘッドハウジング３２との間に、軸部１１の撓みを抑制する支持部（撓み防止部）２０を設けている。この支持部２０は、本実施形態ではヘッドハウジング３２から一体に突設されている。
【００３７】
このとき、図４に示すように、支持部２０はその先端部が軸部１１に直接接触して突き当たることにより、ローラ１０が肌表面に接触する側（図中上方）とは反対側（図中下側）から軸部１１を支持するようになっている。
【００３８】
支持部２０は、軸部１１の軸方向（Ｙ方向）に複数設けられている。なお、図４では、個々のローラ１０間に支持部２０が配置されているが、支持部２０は、軸部１１の撓みを効果的に抑制できる間隔をもって配置されていれば足りる。したがって、実際には図３に示すように、適宜数のローラ１０間にのみ支持部２０を配置するのが好適である。この場合、軸部１１の軸方向略中央部を境として左右対称に配置するのが望ましい。
【００３９】
また、図２〜図４に示すように、ローラ１０を軸部１１の少なくとも軸方向略中央部に配置するとともに、そのローラ１０の軸方向両側にそれぞれ支持部２０を配置するのが好適である。こうすれば、肌表面に当たる部分がローラ１０となり、刃部４の滑りをより良好にすることができる。
【００４０】
回転体ユニット１４は、本実施形態では、ヘッドハウジング３２に対して着脱自在となっている。
【００４１】
具体的には、図５（ａ）、（ｂ）に示すように、本実施形態では、ヘッドハウジング３２のＹ方向両端部に回転体ユニット１４の軸部１１を係止する長穴３５を設けるとともに、その長穴３５のＹ方向内側にラッチ機構１５を配設している。
【００４２】
長穴３５は、回転体ユニット１４の着脱時に軸部１１の両端部が挿入、抜去される部分であり、ヘッドハウジング３２の凹設部３２ｃに連通している。
【００４３】
ラッチ機構１５は、本実施形態では、回転軸１５ｂを有したＶ字状のラッチ部材１５ａと、ヘッドハウジング３２に突設された固定部１８と、固定部１８とラッチ部材１５ａの長片側の先端部とに一端側と他端側が係止された弾性部材１６と、により構成されている。
【００４４】
ラッチ機構１５は、図１〜図４では便宜状図示省略したが、ヘッドハウジング３２の凹設部３２ｃに配置されるようになっており、ラッチ部材１５ａの短辺側の先端部が、軸部１１の抜けを規制する規制部１５ｃとして機能するようになっている。
【００４５】
かかる構成の本実施形態では、図５（ａ）に示すように、回転体ユニット１４の保持時には、例えばバネなどの弾性部材１６の圧縮力によってラッチ部材１５ａの規制部１５ｃが、軸部１１の抜け方向に対向して配置されることとなる。これにより、軸部１１が抜け方向に移動した際には、規制部１５ｃによってその移動を規制することができ、回転体ユニット１４の保持状態を維持することができる。
【００４６】
そして、図５（ｂ）に示すように、回転体ユニット１４の着脱時には、弾性部材１６が伸長する方向にラッチ部材１５ａの長辺側を持ち上げることにより、Ｖ字状のラッチ部材１５ａが回動して規制部１５ｃが軸部１１の抜け方向の対向位置から外れることとなる。これにより、軸部１１の両端部をヘッドハウジング３２の長穴３５に挿入、抜去することができる。
【００４７】
このように、本実施形態では、回転体ユニット１４をヘッドハウジング３２に対して着脱自在としたので、例えばヘッドハウジング３２の一方側の回転体ユニット１４を取り外して、図６に示すように、他の回転体ユニット１４Ａに取り付け交換することができる。
【００４８】
なお、回転体ユニット１４Ａは回転体ユニット１４に対して、回転体としてのローラ１０Ａの大きさ（本実施形態ではローラ１０Ａの外径と長さ）を小型化したものである。このとき、軸部１１における少なくとも両端部の外径の大きさを回転体ユニット１４と回転体ユニット１４Ａとで統一化させておくことが好ましい。こうすれば、異なるローラ１０、１０Ａの外径（高さ）を持つ回転体ユニット１４、１４Ａへの交換が自在となる。
【００４９】
したがって、本実施形態によれば、外径（高さ）の異なる回転体ユニット１４、１４Ａを適宜に交換することによって、肌保護重視かあるいは深剃り重視かユーザのニーズに合わせて電気かみそり１をカスタマイズすることができるようになる。
【００５０】
以上、説明してきたように、本実施形態の電気かみそり１によれば、回転体ユニット１４を電気かみそり（かみそり器）１のヘッドハウジング３２に設けるようにしている。そのため、例えば肌保護重視タイプのものを購入したユーザが深剃り重視タイプのものに変更したい場合などに、ユーザは電気かみそり１のヘッドハウジング３２のみを買い換えればよく、交換コストを安価にすることができる。
【００５１】
さらに、本実施形態では、回転体ユニット１４をヘッドハウジング３２に対して着脱自在としている。そのため、回転体ユニット１４、１４Ａを交換することによって、肌保護重視かあるいは深剃り重視か好みの剃り性に電気かみそり１をカスタマイズすることができるという利点がある。そして、ユーザのニーズに合わせて電気かみそり１をカスタマイズする際に、回転体ユニット１４、１４Ａのみの交換で済むため、交換コストをさらに安価にすることができる。
【００５２】
また、本実施形態では、軸部１１の撓みを抑制する支持部（撓み防止部）２０を設けている。そのため、刃部４で体毛を剃る際にローラ１０が肌表面に押し付けられた時に、ローラ１０を介して軸部１１に入力される反力を支持部２０によって効率良く受け止めることができる。よって、ローラ１０の回転抵抗を低減するために軸部１１を細くした場合にも、軸部１１の撓みを効率良く抑制することができる。
【００５３】
したがって、このように軸部１１の撓みを規制することにより、ローラ１０が逃げるのを抑えて刃部４が移動する際の摩擦低減効果を維持できる上、軸部１１とローラ１０の中心孔（孔部）１０ｈ端部との間に応力が集中してしまうのを抑制できる。よって、ローラ１０は肌表面にしっかりと接触しつつ円滑に回転するようになり、刃部４によってスムーズに体毛を剃ることができる。
【００５４】
また、本実施形態によれば、支持部２０は、ローラ１０が肌表面に接触する側とは反対側から軸部１１を支持するようにしたので、ヘッド部３を肌表面に押し付けた際の反力を支持部２０でよりしっかりと受け止めることができる。これにより、軸部１１の撓みの抑制効果をより高めて、刃部４の剃り性を損なうことなく頑健な構造とすることができる。
【００５５】
さらに、本実施形態によれば、軸部１１の少なくとも軸方向略中央部にローラ１０を配置するとともに、そのローラ１０の軸方向両側に支持部２０を配置したので、肌表面に当たる部分がローラ１０となり、刃部４の滑りをより良好にできる。
【００５６】
なお、本実施形態では、支持部２０を軸部１１に直接接触させるようにしたが、支持部２０をローラ１０に接触させて、ローラ１０を介して軸部１１を間接的に支持させるようにしてもよい。
【００５７】
［第２実施形態］
図７および図８は、本発明の第２実施形態を示した図であり、上記第１実施形態と同一構成部分に同一符号を付して重複する説明を省略して述べるものとする。
【００５８】
本実施形態の電気かみそり１が上記第１実施形態と主に異なる点は、回転体としてのローラ１０自体の交換によって、肌保護重視かあるいは深剃り重視かユーザのニーズに合わせて電気かみそり１をカスタマイズすることができるようにした点にある。
【００５９】
すなわち、本実施形態にあっても、回転体ユニット１４は、複数のローラ１０と、そのローラ１０の中心孔（孔部）１０ｈに挿通される軸部１１と、を備えており、各ローラ１０が軸部１１に対して回転自在となっている。そして、回転体ユニット１４をヘッドハウジング３２から取り外すことによって、ローラ１０が軸部１１に対して着脱自在となっている。
【００６０】
したがって、例えばヘッドハウジング３２の一方側の回転体ユニット１４の真ん中のローラ１０を取り外して、図７（ａ）、（ｂ）および図８に示すように、外径の異なる他のローラ１０Ｂに取り付け交換することができる。このとき、ローラ１０とローラ１０Ｂの中心孔（孔部）１０ｈの内径を統一化させておくことが好ましい。こうすれば、外径、長さ、材料、形状などが異なるローラ１０、１０Ａの交換が自在となる。
【００６１】
以上の本実施形態にあっても、上記第１実施形態と同様の作用、効果を得ることができる。
【００６２】
また、本実施形態では、回転体ユニット１４は、ローラ１０と、そのローラ１０の中心孔（孔部）１０ｈに挿通される軸部１１と、を備えており、ローラ１０が軸部１１に対して着脱自在となっている。そのため、ローラ１０、１０Ｂを交換することによって、肌保護重視かあるいは深剃り重視か自分好みの電気かみそり１をカスタマイズすることができるという利点がある。そして、ユーザのニーズに合わせて電気かみそり１をカスタマイズする際に、ローラ１０、１０Ｂのみの交換で済むため、交換コストをより一層安価にすることができる。
【００６３】
［第３実施形態］
図９および図１０は、本発明の第３実施形態を示した図であり、上記第１および第２実施形態と同一構成部分に同一符号を付して重複する説明を省略して述べるものとする。
【００６４】
本実施形態の電気かみそり１が上記第１および第２実施形態と主に異なる点は、ヘッドハウジング３２に、回転体ユニット１４の取り付け高さを可変とする高さ調節機構７を設けたことにある。
【００６５】
具体的には、図９に示すように、本実施形態では、回転体ユニット１４の軸部１１を係止する長穴３５と連通させてヘッドハウジング３２にねじ穴３７を形成している。ねじ穴３７は、ヘッドハウジング３２の凹設部３２ｃにＹ方向内側が連通しているとともに、一端側（下端側）が開口されており、その開口部から送りねじ２６が螺合されている。そして、ねじ穴３７の他端側（上端側）には、回転体ユニット１４の軸部１１を送りねじ２６側に押さえつける与圧付与部材２８が設けられており、その与圧付与部材２８と送りねじ２６とによって軸部１１の両端部を挟持するようになっている。
【００６６】
かかる構成の本実施形態では、回転体ユニット１４の軸部１１を長穴３５に挿入するとともに、例えばバネなどから成る与圧付与部材２８を圧縮する方向に持ち上げて、軸部１１の両端部を与圧付与部材２８と送りねじ２６との間にセットする。そして、送りねじ２６を与圧付与部材２８側へ送り込む。これにより、例えばヘッドハウジング３２の一方側の回転体ユニット１４の高さを調節して、図９（ａ）および図１０（ａ）に示す低位置と、図９（ｂ）および図１０（ｂ）に示す高位置とで回転体ユニット１４を保持することができる。
【００６７】
以上の本実施形態にあっても、上記第１および第２実施形態と同様の作用、効果を得ることができる。
【００６８】
また、本実施形態では、ヘッドハウジング３２に、回転体ユニット１４の取り付け高さを可変とする高さ調節機構７を設けている。そのため、高さ調節機構７で回転体ユニット１４（ローラ１０）の高さを調節することにより、肌保護重視かあるいは深剃り重視か自分好みの電気かみそり１をカスタマイズすることができる。そして、ユーザのニーズに合わせて電気かみそり１をカスタマイズする際に、上記第１および第２実施形態のように交換部が不要となるため、交換コストを無くすことができるという利点がある。
【００６９】
以上、本発明の好適な実施形態について説明したが、本発明は上記実施形態には限定されず、種々の変形が可能である。
【００７０】
例えば、上記実施形態では、回転体ユニットをヘッドハウジングに対して着脱自在としたが、回転体ユニットをかみそり器本体に対して着脱自在に設けてもよい。
【００７１】
また、上記第２実施形態では、回転体ユニットをヘッドハウジングから取り外した状態で、ローラ（回転体）を軸部に対して着脱自在としたが、例えばローラを略Ｃ字状に設け、ヘッドハウジングに固定された軸部に対してそのローラを着脱自在とさせてもよい。
【００７２】
また、ヘッドハウジングや回転体ユニット、その他細部のスペック（形状、大きさ、レイアウト等）も適宜に変更可能である。
【符号の説明】
【００７３】
１    電気かみそり（かみそり器）
５    かみそり器本体
７    高さ調節機構
１４、１４Ａ  回転体ユニット
３２  ヘッドハウジング
１０  ローラ（回転体）
１０ｈ  中心孔（孔部）
１１  軸部
【図１】
2014030476.tif 000003
【図２】
2014030476.tif 000004
【図３】
2014030476.tif 000005
【図４】
2014030476.tif 000006
【図５】
2014030476.tif 000007
【図６】
2014030476.tif 000008
【図７】
2014030476.tif 000009
【図８】
2014030476.tif 000010
【図９】
2014030476.tif 000011
【図１０】
2014030476.tif 000012